(57)【要約】２つの相互接続部品であるソケット部品（５７）および前記ソケット部品（５７）に挿入可能な挿入部品（５８）を含み、前記部品の少なくとも１つが中央穴（５９）を囲む壁部分を有し、部品がそれぞれの穴を実質的に位置合わせした状態で作動的に連結することができるように、挿入部品の挿入部分がソケット部品の受容部分と係合する大きさになるように構成され、容器の底および蓋の各々の壁にオリフィスが切られた場合に、それらの各々におけるそれぞれの壁と係合するための容器係合手段を各々の前記部品が前記挿入および受容部分から離れて有して成る、容器にアパーチャを設けるためのアクセサリ。
2006505301.tif 000002
【特許請求の範囲】
【請求項１】
１つまたはそれ以上のアイテムを収容するための容器と、
前記容器を貫通し、前記容器の周辺から離れた１つまたはそれ以上のペネトレーション（貫通口）であって、その１つ（主ペネトレーション）がそこにフラワーアレンジメントを受容するように適応されたペネトレーションと、
を含むフラワーアレンジメント用アクセサリにおいて、
前記主ペネトレーションが、略可撓性材料のシートを備えた花束をアレンジするための花保持ディスクを係合するための係合手段と、アレンジする花束の長尺アイテムをそこに受容するように適応されたシートを貫通する複数のペネトレーションと、各ペネトレーションと作動的に連携する把持手段であって、それによって１つまたはそれ以上の長尺アイテムを１つまたはそれ以上のペネトレーションに通しかつそれにより予め定められた力で把持することができ、前記ペネトレーションが、各ペネトレーションと作動的に連携する１つまたはそれ以上の円形アパーチャによって、前記ペネトレーションの周囲の可撓性材料の破損に備えて補強され、それによってフラワーアレンジメントが前記容器と作動的に連携することを特徴とするフラワーアレンジメント用アクセサリ。
【請求項２】
容器にアパーチャを設けるためのアクセサリであって、２つの相互接続部品であるソケット部品および前記ソケット部品内に挿入可能な挿入部品を含み、前記部品の少なくとも１つが中央穴を囲む壁部分を有し、前記部品がそれぞれの穴を実質的に位置合わせした状態で相互に作動的に連結することができるように、前記挿入部品の挿入部分が前記ソケット部品の受容部分と係合する大きさになるように構成され、前記容器の底および蓋の各々の壁にオリフィスが切られた場合に、それと係合するための容器係合手段を各々の前記部品が前記挿入および受容部分から離れて有して成るアクセサリ。
【請求項３】
各部品が壁部分を含み、前記挿入部品の壁部分の一部の外面が前記ソケット部品の壁部分の一部の内面と係合可能である、請求項２に記載のアクセサリ。
【請求項４】
前記容器係合手段が、前記蓋および底の壁の内面に接着されるように適応されたフランジの形を取り、前記挿入および受容部分が一連の異なるサイズの容器に適合するように、様々な内径の穴を受け入れるように構成された、請求項２または３に記載のアクセサリ。
【請求項５】
前記アパーチャのサイズがそこに挿入可能な花束の茎を受け入れるように選択される、請求項２乃至４のいずれかに記載のアクセサリ。
【請求項６】
フラワーアレンジメントに組み込むように選択された長さと断面とを有する長尺ロッドであって、両端を有し、前記端のうちの一方に取付け手段を含む長尺ロッドと、
前記フラワーアレンジメントを装飾するための装飾手段であって、前記取付け手段を有する前記ロッドの端に前記装飾手段を作動的に取り付けるための相補的取付け手段を含む装飾手段と、
を含むフラワーアレンジメント用アクセサリ。
【請求項７】
前記ロッドが花の茎などの形を模倣するようにプラスチック材料から形成され、あるいは花または葉の茎と審美的に釣り合うように形成される、請求項６に記載のアクセサリ。
【請求項８】
前記取付け手段がボールソケットジョイントを含み、ボールを受容するためのソケットが前記ロッドの一端に配置され、ボールがソケット内に締まりばめ状態で収まるような大きさでありかつ前記装飾手段の適切な取付け位置に配置される、請求項６または７に記載のアクセサリ。
【請求項９】
前記ロッドの長さが、ポージーには単一の長さが適し、花束には２つの長さが適し、ブーケには３つの長さが適するように選択される、請求項６乃至８に記載のアクセサリ。
【請求項１０】
本書に記載するように花保持ディスクを提供するステップと、
本書で記載するように１つまたはそれ以上のフラワーアレンジメント用アクセサリを選択するステップと、
フラワーアレンジメントを作成するために、切花、葉、および／または装飾的アイテムを選択するステップと、
切花、葉、および／または装飾用アイテムを一度に１つまたはそれ以上ずつ、可撓性シートの１つまたはそれ以上のペネトレーションに、フラワーアレンジメントが完成するまで挿入するステップと、
花の束と作動的に連携させるためにフラワーアレンジメントをアクセサリの主ペネトレーションに通すステップと、
を含む、フラワーアレンジメントを形成する方法。
【請求項１１】
略平坦な透水性材料のシートと、
前記シートを貫通し、前記シートの周辺から離れた１つまたはそれ以上のペネトレーションであって、そのうちの１つがフラワーアレンジメントを受容するように適応されたペネトレーションと、
を含み、
前記シートがその片面に耐水性被覆を含むことを特徴とする、フラワーアレンジメントアクセサリ。
【請求項１２】
略平坦な透水性材料のシートと、
前記シートを貫通し、前記シートの周辺から離れた、フラワーアレンジメントを受容するように適応されたペネトレーションと、
前記シートの片面に塗布された耐水性被覆と、
前記ペネトレーションから１つまたはそれ以上の方向へ、片面にトークンを支承または受容するのに充分な距離を延出し、かつそれに充分な大きさである延長部分と、
を含むフラワーアレンジメントアクセサリ。
【請求項１３】
トークンがメッセージおよび／またはあいさつ状の形を取る、請求項１２に記載のフラワーアレンジメントアクセサリ。
【請求項１４】
トークンが小さい贈物用の箱などまたはそれを取り付けるための接着パッドを含む、請求項１３に記載のフラワーアレンジメントアクセサリ。
【請求項１５】
前記シートが、フラワーアレンジメントをそこに受容するように適応された前記ペネトレーション（「主ペネトレーション」）の周りに、さらなるペネトレーションを含み、前記さらなるペネトレーションが、前記主ペネトレーションの周りに装飾を形成するために、リボンまたは同様のひも状の織物を受容するように適応される、請求項１１乃至１４のいずれかに記載のフラワーアレンジメントアクセサリ。
【発明の詳細な説明】
【技術分野】
【０００１】
本発明は、フラワーアレンジメントアクセサリに関し、同一出願人の同時係属国際特許出願第ＰＣＴ／ＡＵ０１／００４５０号に開示されたフラワーアレンジメント用具の助けを借りて形成されるフラワーアレンジメント用アクセサリに特定の用途を有し、その明細書を参照として本書に組み込む。本願では、そのような用途に言及する。しかし、本発明はそのような用途に限定されないことは理解される。
【背景技術】
【０００２】
花および類似物はブーケ(bouquet)、花束(bunch)、ポージー(posy)などとしてアレンジすることができ、ときには追加の装飾的葉を含め、ときには棒に付けた風船などの装飾的アイテムを含めることができる。花はしばしば特別な機会に、かつ／または好意を伝えるために贈物として贈られ、そのような社交はときには他の贈物を伴う。そうした他の贈物は往々にして別個に販売されて贈られ、そうした他の贈物をフラワーアレンジメントと一緒に包装する便利な方法は無かった。この明細書では、文脈上他の意味に解すべき場合を除き、用語「フラワーアレンジメント」とは、ポージー、花束、ブーケ、シーフ(sheaf)、花輪(wreath)、および単茎を含め、組み立てられた花のアレンジメントはどのようなものも含むと理解すべきであり、リボン、風船、および加えることができる他の装飾的アイテムを含むことができる。さらに、フラワーアレンジメントの文脈において、用語「アイテム」および「長尺アイテム」とは、該用語が使用される文脈で意味が明らかに適さない場合を除き、花、葉、およびそれらの軸または茎、および花束を構成するために用いられる上述の装飾的アイテムは全て含むと理解すべきである。さらに、同一出願人の上述した国際特許出願第ＰＣＴ／ＡＵ０１／００４５０号に記載したフラワーアレンジメント用具を、以下では「花保持ディスク」と呼ぶ。
【発明の開示】
【発明が解決しようとする課題】
【０００３】
本発明は、上述した問題の１つまたはそれ以上を緩和し、あるいは少なくとも現在の伝統的な贈呈の代替策をもたらす１つまたはそれ以上のフラワーアレンジメントアクセサリを提供することを目的とする。
【課題を解決するための手段】
【０００４】
以上のことを考慮して、本発明の一態様は概して、
略平坦な透水性材料のシートと、
前記シートを貫通し、前記シートの周辺から離れた１つまたはそれ以上のペネトレーション（貫通口）であって、そのうちの１つがそこにフラワーアレンジメントを受容するように適応されたペネトレーションと、
を含み、前記シートがその片面に耐水性被覆を含むことを特徴とするフラワーアレンジメントアクセサリにある。
【０００５】
別の態様では、本発明は概して、
略平坦な透水性材料のシートと、
前記シートを貫通し、前記シートの周辺から離れ、フラワーアレンジメントを受容するように適応されたペネトレーションと、
前記シートの片面に塗布された耐水性被覆と、
前記ペネトレーションから１つまたはそれ以上の方向に、片面にトークンを支承または受容するのに充分な距離を延出し、かつそれに充分な大きさである延長部と、
を含むフラワーアレンジメントアクセサリにある。
【０００６】
トークンはメッセージおよび／またはあいさつ状の形とすることができ、必要に応じて小さい贈物用の箱などまたはそれを取り付けるための接着パッドを含めることができる。
【０００７】
シートは、ボール紙（これが好ましい）または補強された織物のような略剛性材料から形成され、被覆はシートの単面のプラスチックラミネーションから形成されることが適当である。シートは、装飾的模様、装飾的彩色、そこに貼着された装飾品などのような装飾を含み、外周は審美的輪郭線を形作ることが好ましい。例示的形態では、シートは花保持ディスクと共に使用するように適応される。
【０００８】
必要に応じて、シートは、フラワーアレンジメントを受容するように適応されたペネトレーション（「主ペネトレーション」）の周りに、さらなるペネトレーションを含むことができ、前記さらなるペネトレーションは、主ペネトレーションの周りに装飾を形成するため、リボンまたは同様のひも状の織物を受容するように適応される。
【０００９】
別の態様では、本発明は概して、
１つまたはそれ以上のアイテムを収容するための容器と、
前記容器を貫通し、前記容器の周辺から離れた１つまたはそれ以上のペネトレーションであって、その１つ（主ペネトレーション）がフラワーアレンジメントを受容するように適応されたペネトレーションと、
を含むフラワーアレンジメント用アクセサリにおいて、
前記主ペネトレーションが、略可撓性材料のシートを備えた一束の花をアレンジするための花保持ディスクを係合するための係合手段を含み、シートを貫通する複数のペネトレーションがアレンジする花の束の長尺アイテムをそこに受容するように適応され、把持手段が各ペネトレーションと作動的に連携し、それによって１つまたはそれ以上の長尺アイテムを１つまたはそれ以上のペネトレーションに通してそれにより予め定められた力で把持することができ、ペネトレーションが、各ペネトレーションと作動的に連携する１つまたはそれ以上の円形アパーチャによって、ペネトレーションの周囲の可撓性材料の破損に備えて補強され、それによってフラワーアレンジメントが前記容器と作動的に連携することを特徴とするフラワーアレンジメント用アクセサリにある。アパーチャのサイズは、そこに挿入可能な一束の花の茎を受け入れるように選択される。好適な形態では、主ペネトレーションは直径６０ｍｍおよび８０ｍｍのサイズから選択される。容器の好適な高さは、宝飾品のような贈物を収容する場合には１０ｍｍ、チョコレートの場合には１０ｍｍから７０ｍｍの間である。他の贈物の場合、一般的に高さは１０乃至１３０ｍｍとすることができる。オリフィスまたはアパーチャが本書に記載するフラワーアレンジメント用ディスクと協働することができるように、アパーチャサイズを選択することが好ましいことは、理解される。そのような形態では、ポージー、花束、およびブーケなどを含む、様々なサイズのフラワーアレンジメントを受け入れるように選択されたサイズがあることが好ましい。
【００１０】
別の態様では、本発明は概して、容器にアパーチャを設けるためのアクセサリであって、２つの相互接続部品つまりソケット部品および前記ソケット部品内に挿入可能な挿入部品を含み、前記部品の少なくとも１つが中央穴を囲む壁部分を有し、部品がそれぞれの穴を実質的に位置合わせした状態で相互に作動的に連結することができるように、前記挿入部品の挿入部分が前記ソケット部品の受容部分と係合する大きさになるように構成され、容器の底および蓋の各々の壁にオリフィスが切られた場合に、それと係合するための容器係合手段を各々の前記部品が前記挿入および受容部分から離れて有して成る、アクセサリにある。
【００１１】
各部品は壁部分を含み、挿入部品の壁部分の一部の外面はソケット部品の壁部分の一部の内面と係合可能であることが好ましい。そのような形態では、アクセサリは、容器の蓋および底と作動的に係合したときに、アクセサリのそれぞれの部品の穴によって具現される、容器のアパーチャを提供する。穴は断面が円形であることが好ましく、例えば２０ｍｍから７０ｍｍまで１０ｍｍずつ増分する直径のようなサイズの範囲で設けることが好ましい。この形態のアクセサリは、容器が構成される材料と両立するように選択された、例えばプラスチック、金属、もしくはボール紙、またはそれらの組合せから製造することができる。
【００１２】
容器係合手段は、蓋および底の壁の内面に接着されるように適応されたフランジの形を取ることが好ましく、挿入および受容部分は、一連の異なるサイズの容器に適合するように、様々な内径の穴を受け入れるように構成することができる。
【００１３】
別の態様では、本発明は概して、
フラワーアレンジメントに組み込むように選択された長さおよび断面の長尺ロッドであって、両端のうちの一方に取付け手段を含む長尺ロッドと、
前記フラワーアレンジメントを装飾するための装飾手段であって、前記取付け手段を有する前記ロッドの端に前記装飾手段を作動的に取り付けるための相補的取付け手段を含む装飾手段と、
を含むフラワーアレンジメント用アクセサリにある。
【００１４】
ロッドは、花の茎などの形を模倣するようにプラスチック材料から形成され、あるいは花または葉の茎と審美的に釣り合うように形成されることが好ましい。また、取付け手段はボールソケットジョイントを含み、ボールを受容するためのソケットがロッドの一端に配置され、ボールがソケット内に締まりばめ状態で収まるような大きさであり、かつ装飾手段上の適切な取付け位置に配置されることも好ましい。そのような形態では、ロッドおよび装飾手段は、ボールをソケット内に挿入することによって相互に作動的に取り付けることができ、ボールとソケットの相対サイズは「スナップ嵌め」が達成されるように選択される。ロッドの長さは、ポージーには単一の長さが適し、花束には２つの長さが適し、ブーケには３つの長さが適するように選択することが好ましい。また、ボールソケットジョイントが、ボールを装飾手段に接続する茎を中心とするショルダなどの当接手段を含み、部品がパチンと嵌め合わされたときに、それがソケットの外周と係合することも好ましい。こうして取り付けられた部品は、ロッドと実質的に位置を合わせて、しかし相互に対して実質的に軸線を中心に曲ったり、うなだれたりすることなく、長軸を中心に相互に対して枢動することができる。
【００１５】
装飾手段は、グリーティングカード、菓子類、宝飾品、珍しいアイテム、例えば風船などのような物またはアイテムを保持および／または収容するクランプまたは容器の形を取ることができる。装飾手段はロッドに取り付けられ、次いで、ロッドを花保持ディスクの把持手段に差し込むことによって、フラワーアレンジメントに組み込むことができる。フラワーアレンジメント用ディスクは、さらに、前述したようにその中を貫通して延びるペネトレーションを有する容器と統合することができる。
【００１６】
本発明のフラワーアレンジメント用アクセサリは、ロッドを補助具に差し込むか挿通させることによって、脆い固形発泡体、ワイヤフレーム、セラミックビーズなどのような従来のフラワーアレンジメント補助具と共に使用することができると理解される。
【００１７】
別の態様では、本発明は概して、
本書に記載するように花保持ディスクを提供するステップと、
本書で記載するように１つまたはそれ以上のフラワーアレンジメント用アクセサリを選択するステップと、
フラワーアレンジメントを作成するために、切花、葉、および／または装飾的アイテムを選択するステップと、
切花、葉、および／または装飾用アイテムを一度に１つまたはそれ以上ずつ、可撓性シートの１つまたはそれ以上のペネトレーションに、フラワーアレンジメントが完成するまで挿入するステップと、
花の束と作動的に連携させるためにフラワーアレンジメントをアクセサリの主ペネトレーションに通すステップと、
を含む、フラワーアレンジメントを形成する方法にある。
【００１８】
必要に応じて、フラワーアレンジメントにラミネートシートのカードを含めることができ、アパーチャ付き容器および装飾手段は花保持ディスクと作動的に連携させることができる。
【００１９】
本発明をいっそう容易に理解し、かつ実施することができるように、以下に本発明の好適な実施形態を示す図面を参照しながら説明する。
【発明を実施するための最良の形態】
【００２０】
図１乃至５に示した５つの円形フラワーアレンジメント用ディスク１０、１１、１２、１３および１４はそれぞれ、中央ペネトレーション１７から半径方向に延びる、一般的に１６で示す８つのスリットを有し、各スリットはスリットが裂けるのを防止するために、一般的に１８で示す長尺ペネトレーションで終端する。長尺ペネトレーションは半径方向に位置合わせされる。１１に示す例では、ディスクは例１０と同じであるが、周縁がより大きい直径である。「花カードディスク」とみなすことができる１２に示す例は、各長尺ペネトレーションから半径方向に外方に間隔配置された、一般的に１９で示すより大きい円形ペネトレーションを有することを除いては、同じである。そのような形態では、花の茎が中央アパーチャに挿通される花束の外側周囲の包装紙がつぶれる可能性が低い。長尺ペネトレーションとより大きい円形ペネトレーション間の素材がたわんでスリットはさらに広くなり、花束をより柔らかく包み込み、しかも大きい円形ペネトレーションより先の破れ防止にもなる。１３で示す例では、外周縁は図１と同様の直径である。１４で示す例では、ピッチ円直径がより大きく、かつより大きいペネトレーションが必ずしも半径方向にスリットと整列しないことを除いては、例１２および１３に示したものと同じ、均等な間隔で配置された１２個のより大きい円形ペネトレーションがある。そのような形態では、リボンを切ったり結んだりする必要がなく、リボンをループ状にアパーチャに通して、必要に応じて追加の装飾効果を生み出すことができる。
【００２１】
図６、７および８に別個の部品としておよび一緒に示される例１５では、ディスクはより大きく（しかし縮小されているので他のディスクとほとんど同じサイズに見える）、例１４と同様に長尺ペネトレーションで終端した８つのスリットを有する。しかし、図８および７にそれぞれ別個に示された環状部分から切取部分を分離するのを助けるために使用することができる切取線２３によって、切取部分２１から分離される環状部分２０により大きい円形ペネトレーションを設ける。環状部分は６０または８０ｍｍの大きさに作られた大きい中央アパーチャ２２を有し、そこに花束の軸を通すことができる。
【００２２】
例１２、１３、１４、および１５におけるより大きい円形ペネトレーションは、例えばリボンなどを通して、例１０または１１の助けを借りて組み立てられた花束の外観をよくするために使用することができる。切取部分は例１０と同じ寸法とすることができ、あるいはより大きく、またはより小さくすることができる。リボン２５の装着は、例えばリボンの長さを、図９に部分的に装着された状態で示すように、各々のより大きいペネトレーションに通すことによって、かつ図１０に完全に装着されて結びとめられた状態で示すように、各々の場合に各々のより大きいペネトレーション間に一般的に２４で示すループを残しながら、リボンのループを通すことによって、実行することができる。
【００２３】
図１１乃至１３に示すハート形カード４０は、正面片４１を貫通するペネトレーション４５を有し、ペネトレーションは裏面片４２のフラワーアレンジメント用ディスク１０または１２によって埋められ、正面および裏面片は、相互に関係する正面および裏面片を矢印４９の方向に保持することによって、図１２に示すように折り畳まれてカードになるよう折り目４３に沿って継ぎ合わされる。図１３に示す断面図では、正面片を貫通するペネトレーションは補強リング４４によって補強される。
【００２４】
円形カード４６は、そのカード部分４７の中心からずれた円形ディスク１０または２１を有する。図１５に示す不規則な形状のカード５０、「ギフトタグカード」は、円形ペネトレーション５５付きの環状部分５１と、接続部分５３によって環状部分に接続されたメッセージ部分５２とを有する。メッセージ部分は、粘着パッチまたはストリップ５４を含み、メッセージカードなど、または代替的に小さいパッケージをカードに取り付けることができる。
【００２５】
図１６に示した円形容器６０は蓋６２および底６１を有し、各々が環状溝をもたらすためにそこを貫通して延びる中央に配置されたペネトレーション６５を有する。図示するように部品を一緒に配置すると、環状キャビティができ、そこに物品を収容することができる。図１７および１８に示すフラワーアレンジメント用ディスク１０は蓋および／または底と作動的に連携させることができ、容器の頂部および／または底部のペネトレーションがふさがれる。ペネトレーションはフラワーアレンジメント用ディスクに対して締まりばめを行なうような大きさにすることが好ましく、容器の底部および／または頂部またはその付近でペネトレーションの周囲にリップまたはショルダを含むことが好ましい。
【００２６】
同様の方法で、図１９、２０および２１に示す三角形容器６３、図２２、２３および２４に示すようなハート形容器、またはそれぞれ図２５および２６に示す方形容器７３または六角形容器７４はそれぞれ、１つまたはそれ以上の小さい物品を収容するために対応する形状のキャビティを備えることができる。図２６に示す六角形容器の場合、ペネトレーションの内部穴６８は形状が六角形であり、フラワーアレンジメント用ディスクを挿入することのできる円形オリフィスまたは開口を設けるために、そこから内向きに伸びるフランジ６９を有する。
【００２７】
図２７に示す代替的円形容器７０は、透明なプラスチック材料から形成された蓋７１および底ならびにインサート７２を有し、そこを通ってペネトレーション７５が延びる。インサートは、ギフトアイテムまたは物品を受容するために一般的に７６で示される８つの凹みを有し、そのうちの１つが一般的に７７で示され、底と作動的に連携するペネトレーションの下端にフラワーアレンジメント用ディスク１０が設けられる。図２７ａに示す代替的インサート７８は、図２７に示したものより多数のより小さくかつ異なる形状の凹みを有する。図２７の代替的円形容器は花束と一緒に使用して、図２９に示すように本発明に従ってフラワーアレンジメントを達成することができる。
【００２８】
アパーチャアクセサリ１６０は、図１６乃至２７の容器のいずれかの１つにでもアパーチャを設けるために使用することができ、２つの相互接続部品、ソケット部品６６およびソケット部品に挿入される挿入部品６７を含む。各部品は環状フランジ５６を有する。ソケット部品は、フランジから延びる筒状ソケット部分５７、およびそこを貫通する中央穴５９を有する。挿入部品の一部分がソケット部品の一部分に挿入されるときに、フランジが相互に離れて略平行に保持されるように、中央穴は、挿入部品のフランジから延びる筒状挿入部分５８に続く。挿入部分および受容部分がそこを貫通する中央穴によって容器にアパーチャを提供するように、フランジは容器の蓋および底に固定または付着される。
【００２９】
図３０に示す花束８０は、そこに組み込まれた要素を示すために、花の茎の軸線に沿って引き伸ばされている。花束は、茎をディスクのペネトレーションに通すことによって、花保持ディスク１０に支持され、茎８３のところでひとまとめにしてセロファンラップ８２に包まれた一般的に８１で示される多数の花を含む。茎は集合的にカード１５のペネトレーション、三角形容器６３、および前述したように装着されたリボン２５も有する環状シート２０も通過する。さらに、円形花カードディスク８５が設けられ、茎の端部分をその中央ペネトレーションに通される。茎の端８６は、セロファンラップ内に含まれる水に漬けられる。花保持ディスク１０に加えて、図３乃至７の他の適切なディスクのいずれか１つ、または上述した同一出願人の国際特許第ＰＣＴ／ＡＵ０１／００４５０号に記載されたものを使用することができる。
【００３０】
図３１に示す２つの直線状ロッド９６は、別の同様のロッドまたは後述するアクセサリの下端９７にあるソケット９２に嵌め込むような大きさに作られたボール９１を、上端９３に有する。図３２に示す２つの弯曲したロッド９８は、それらが弯曲していることを除き、全ての点で直線状ロッドと同じであるが、合わせて接合された幾つかのより短い部品から形成された状態で図示されている。単一または接合構造は、提供できる代替的形態であることが理解される。
【００３１】
様々な装飾的アクセサリが図３３乃至４１ｄに示されている。中央穴１０６を有し、そこにロッドのボールを差し込むことができる多弁形カード１０５が図３３に示されている。必要に応じて、ボールを別のロッドまたは本書に記載した別の装飾的アクセサリの底にあるソケットに挿入することもでき、中央穴はボール（後述）のネックのショルダ周囲に比較的きつく収まる大きさで、かつロッドの上端に保持することができるようにロッドの直径より小さく作られる。図１乃至６および８に示すのと同様の形の中央ペネトレーションおよびスリットを有し、それに加えて、一般的に半径方向に長尺であり、ディスクの周りに均等の距離および角度で配置された４つの周辺長穴１０３も有する、多弁形の外周を花保持ディスク１０４に使用することもできる。図３４に示す接着性コネクタ１０７は、ロッドと同じ方向に長尺であり、ネームタグ、菓子類などを受容するための部分１０２、２つのリボン固定場所１０１、およびその遠端付近にギフトカードスロット１００を有し、そこに例えばカード、または風船の端部を挿入して保持することができる。図３５、３５ａ、および３６には３つのカップ形装飾的アクセサリが示され、各々それぞれの底に接着性コネクタを有する。小さい菓子類クリップ１０８が図３５に示され、大きい菓子類クリップが図３５ａおよび図３６に示されて、各々その下端にソケット９２を有する。
【００３２】
図３７および３７ａには、長尺容器１１０および球状容器１１１が提示されている。それぞれが透明なプラスチックレセプタクル１１２および１１３を有する。長尺の透明なプラスチックレセプタクルは、締まりばめまたはねじ接続によって容器支持体１１４に接続可能であり、球状透明プラスチックレセプタクルは同様の方法でより広い容器支持体１１５に接続可能である。図３８に示すようなエッグクラウン１１６は、カップ形装飾的アクセサリのそれぞれ１つの上部周辺と締まりばめをもたらす大きさに作られた下部リップ１１８を介して、カップ形の装飾的アクセサリのいずれかに嵌め込まれるように作られており、一般的に１１７で示される５つの直立した丸い突出部を含む。
【００３３】
図３９に示したクランプアセンブリ１２０は、相互に近づいたり遠ざかったりする枢動のためにヒンジコネクタ１２４に蝶着され、相互に相手方向に閉じるように偏倚する、ワイヤフレーム構造で形成された２つのジョー１２３に有する。ヒンジコネクタは、その下端にソケット９２を有する接合部品１２６のクランプ支持体１２５に接続される。クランプ支持体および接合部品は、ヒンジ支持体に対する接合部品の矢印１２８の方向の枢動を可能にするために相補的な内向きの対向突起部（図では隠れている）がその中に延入したアパーチャまたは凹部を各面に有する、接合部品の円板部分（図では隠れている）を介して相互に接続される。
【００３４】
図４０に示すカード、菓子類、および風船ホルダ１４０は、片面の縁から内側に本体を部分的に横断して延び、かつ円形ペネトレーション１４３で終端するスリット１４２を有する、円形本体部分１４１を含む。一般的に１４４で示される４つの穴が本体の周りに、スリットを中心に、ただしスリットに正対せず、縁から内側に間隔を置いて配置され、各々が一般的に１４５で示される管を有し、管の各端に穴ができるように周辺の最も外側の部分に沿って同軸的に、遠端部分から各管の長さに沿って延びる、一般的に１４６で示すスリットを有する。菓子類アクセサリは、ロッドを穴の１つに挿通することによって、カードおよび菓子類ホルダと共に支持することができる。代替的に、風船を膨らませて、スロット内に保持されるように開口を穴の１つに挿入することによって、適位置に保持することができる。菓子類アクセサリは、ロッドの上端に作動的に取り付けられた、後述する包装されたキャンディー、チョコレートなどを含む。図４１に示す包装されたチョコレート１４８は、図３５に関連して上述した菓子類カップ１０８の茎の周りにその縁を配置させた包装紙１４９を有し、縁はひも１４７で結んで閉じる。
【００３５】
図４１ａに示された写真フレームクランプ９５は折曲げ部またはヒンジ９４を有しており、２つの半体を矢印９０の方向に折り畳んで、図示するようにパチンと嵌め合わせることが可能である。後述する写真フレームを受容するために、ソケットから離れた端にスロット９９が設けられる。図４１ｂに示された爪組立体１１９は、一般的に１２７で示され、ソケットを中に備えた支持部１２９から外向きおよび上向きに延びる４つのフィンガを有する。フィンガは弾性材料から作られ、フィンガ間の空間より大きい寸法の物品をクランプしてそこに保持することを可能にする。ソケットを中に備えたリング支持体１３５に装着されたばね金属のスリットまたはコイルリング１３４を有する、写真またはカードホルダ１２１が図４１ｃに示されている。図４１ｄにはチョコレートバーホルダ１２２が示され、両方ともソケットを中に有する取付け部分１３８と一体的に形成された、出張り部分１３７から延びる長尺載置部分１３６に装着された、他の装飾的アクセサリに関連して述べたような接着性ストリップ１０７を有する。
【００３６】
図４２および４３に示された菓子類容器１３０は、蓋１３２が取り付けられた底１３１を有する。底は、共通交点から半径方向に延長する８つのスリットおよびスリットを終端する丸い穴を含む複数のペネトレーションを有するフラワーアレンジメント用ディスク１３３を支持するための内部リップを含む。１２個の包装されたチョコレート（図４３ではペネトレーションの形状を示すために１１個しか示されていない）は、包装されたチョコレートアセンブリの軸を、図示するペネトレーションの１つに差し込むことによって、フラワーアレンジメント用ディスクに固定される。包装されたチョコレートの全てがディスクの片面上に示されているが、包装されたチョコレートがディスクの両側に配置される代替的配列を考えることができることが理解される。図４４に示すアレンジメントでは、７個の包装されたチョコレートが各ロッドの端に取り付けられ、ロッドは次いでフラワーアレンジメント用ディスクの各ペネトレーションに通される。いうまでもなく、本発明のアクセサリを使用して多くのアレンジメントを構成することができ、そのうちの幾つかの例を図４５に集合的に示す。
【００３７】
装飾的アクセサリをロッドに接続する手段は代替的に、図４６に示しかつ上述したボールおよびソケットによるか、または図４７に示すねじ接続によることができる。ボールソケットジョイントの場合、ボール９１はネック１５０、および平坦な端１５２から軸方向に少し延びたショルダ１５１によって、ロッドの一端に接続される。ソケット９２は、２つのピンチまたはネック１５５から内側に２つのスナップ位置１５４を有し、ソケットのオリフィスは、ジョイントのボール半体の平坦な端１５２に押し当てられる大きさに作られた環状面１５３と整列される。ソケットのオリフィスは斜面１５８によって囲まれる。ロッドもまた中空形態であり、緑色のプラスチック材料などから形成されることが好ましい。図４７に示す代替例では、ボールおよびソケットはねじ付きスピゴット１５６およびねじ付きソケット１５７と置き換えられ、接合された部品が実質的に相互に位置合わせされるように、ショルダ、平坦な端、および環状面は類似の構成である。どちらの場合も、図４８に示すように合わせ部品間に比較的堅いジョイントを達成することができ、フラワーアレンジメント用ディスクにペネトレーションを受け入れるために、方形断面の溝１５９がジョイントの周りに形成されていることがわかる。
【００３８】
図４９に示す写真ホルダ１７０は、フレームによって囲まれた実質的に矩形の窓付き正面１６１、およびフレームのベースラインに沿って折曲げ部１６３によってそこに接続された中実裏面１６２を有する。フレームの中央上部からは、図５０に示すようにロッド上に支承することができるように、ジョイントのボール半体のショルダと係合するような大きさに作られ、アパーチャ１６４を貫通する、タグ部分１６５が延びている。いうまでもなく、図３４乃至３９の代替的装飾のいずれか１つをロッドの頂部に接続配置することができる。
【００３９】
図４９ａに示す代替的写真ホルダ１７１は、フレームによって囲まれた実質的に矩形の窓付き正面１６６、およびフレームのベースラインの一部分に沿ってヒンジ１６８によって接続された中実裏面１６７を有する。代替的写真ホルダは、図４１ａに示す写真フレームクランプ９５によってロッドの端に取り付けられ、一般的に１７２で示される幾つかの場所がある。
【００４０】
本発明を幾つかの例を参照し述べたが、本発明が請求の範囲で規定する本発明の広い範囲内で他の形態で具現することができることを、当業者は理解されるだろう。
【図面の簡単な説明】
【００４１】
【図１】半径方向に位置合わせされた長尺ペネトレーションを有し、８つの半径方向を向いたスリットの各々を終端する、本発明に係る円形の花保持ディスクの絵画図。
【図２】図１と同様であるが、より大きい直径を有する、円形の花保持ディスクの絵画図。
【図３】図２と同様であるが、８つのさらなるペネトレーションが長尺ペネトレーションの先に半径方向に配列され、長尺ペネトレーションと半径方向に整列して配置された、円形の花保持ディスクの絵画図。
【図４】図３と同様であるが、より小さい直径を有する、円形の花保持ディスクの絵画図。
【図５】図３と同様であるが、８つではなく１２のさらなるペネトレーションを有する、円形の花保持ディスクの絵画図。
【図６】図５と同様であるが、より大きい外径を有し、１２のさらなるペネトレーションがより大きいピッチ円径に沿って配置され、円形の切取線または弱化線が半径方向に長尺ペネトレーションと更なるペネトレーションとの間に配置された、円形の花保持ディスクの絵画図。
【図７】図６の花保持ディスクの構成部品の絵画図。
【図８】図６の花保持ディスクの構成部品の絵画図。
【図９】部分的に取り付けられたリボンがさらなるペネトレーションのいくつかに通された、図７の花保持ディスクの構成部品の正面図。
【図１０】リボンがさらなるアパーチャに通された、図５の花保持ディスクの正面図。
【図１１】本発明に係るフラワーアレンジメント用アクセサリとしてのハート形のカードの絵画図。
【図１２】開いた姿勢状態にある図１１のカードの絵画図。
【図１３】図１１および１２と同様のカードの一部分の図式的な断面絵画図。
【図１４】図１１乃至１３のカードの代替的形状として円形のカードの絵画図。
【図１５】本発明に係る円形ペネトレーションおよびメッセージ部分を有するカードの絵画図。
【図１６】本発明に係る円形容器の絵画図。
【図１７】蓋に花保持ディスクが係合された、図１６の容器の絵画図。
【図１８】底に花保持ディスクが係合された、図１６の容器の絵画図。
【図１９】本発明に係る三角形容器の絵画図。
【図２０】蓋に花保持ディスクが係合された、図１９の容器の絵画図。
【図２１】底に花保持ディスクが係合された、図１９の容器の絵画図。
【図２２】本発明に係るハート形容器の絵画図。
【図２３】蓋に花保持ディスクが係合された、図２２の容器の絵画図。
【図２４】底に花保持ディスクが係合された、図２２の容器の絵画図。
【図２５】本発明に係る長尺容器の絵画図。
【図２６】本発明に係るフラワーアレンジメント用アクセサリとしての六角形容器の絵画図。
【図２７】本発明に係るフラワーアレンジメント用アクセサリとしての別の円形容器の組立分解図。
【図２７ａ】図２７の容器の代替的挿入物の絵画図。
【図２８】図１６乃至２７に示した容器のいずれか１つにアパーチャを設けるためのアパーチャアクセサリの絵画図。
【図２９】本発明に係るフラワーアレンジメントと図２７の容器の使用法を示す絵画図。
【図３０】図１乃至７のディスクのいずれか１つ、図２０または図２１の容器、図１５のカード、および図４０のギフトタグおよび棒付きキャンデー（図４５でさらに例示する）を組み込んだ花束の絵画図。
【図３１】本発明に係るフラワーアレンジメント用アクセサリの一部としてのロッドおよびキャップの絵画図。
【図３２】本発明に係るフラワーアレンジメント用アクセサリの一部として弯曲形の代替的ロッドおよびキャップの絵画図。
【図３３】図３１および３２のロッドおよび／またはキャップに取り付けるための代替的装飾アクセサリの絵画図。
【図３４】図３１および３２のロッドおよび／またはキャップに取り付けるための代替的装飾アクセサリの絵画図。
【図３５】図３１および３２のロッドおよび／またはキャップに取り付けるための代替的装飾アクセサリの絵画図。
【図３６】図３１および３２のロッドおよび／またはキャップに取り付けるための代替的装飾アクセサリの絵画図。
【図３７】図３１および３２のロッドおよび／またはキャップに取り付けるための代替的装飾アクセサリの絵画図。
【図３８】図３１および３２のロッドおよび／またはキャップに取り付けるための代替的装飾アクセサリの絵画図。
【図３９】図３１および３２のロッドおよび／またはキャップに取り付けるための代替的装飾アクセサリの絵画図。
【図４０】図３１および３２のロッドおよび／またはキャップに取り付けるための代替的装飾アクセサリの絵画図。
【図４１】図３１および３２のロッドおよび／またはキャップに取り付けるための代替的装飾アクセサリの絵画図。
【図４２】図３５または３６のアクセサリおよびペネトレーションに挿入されたラッピングの一部と共に、本発明に係る花保持ディスクに取り付けられた包装されたチョコレート入りの容器の断面側面図。
【図４３】図４２の容器の組立分解絵画図。
【図４４】本発明に従ってロッドに作動的に取り付けられた図４１の包装された物品付きの花保持ディスクの絵画図。
【図４５】図３１乃至４１ｄに示した部品から組み立てられた本発明に係る様々なアクセサリを集合的に示す絵画図。
【図４６】図３１のロッドを接合する代替的手段を示す断面図。
【図４７】図３１のロッドを接合する代替的手段を示す断面図。
【図４８】図３１のロッドのジョイントを図式的に示す側面図。
【図４９】写真ホルダの絵画図。
【図５０】図３１のロッドと写真ホルダの使用法を示す絵画図。
【図１】
2006505301.tif 000003
【図２】
2006505301.tif 000004
【図３】
2006505301.tif 000005
【図４】
2006505301.tif 000006
【図５】
2006505301.tif 000007
【図６】
2006505301.tif 000008
【図７】
2006505301.tif 000009
【図８】
2006505301.tif 000010
【図９】
2006505301.tif 000011
【図１０】
2006505301.tif 000012
【図１１】
2006505301.tif 000013
【図１２】
2006505301.tif 000014
【図１３】
2006505301.tif 000015
【図１４】
2006505301.tif 000016
【図１５】
2006505301.tif 000017
【図１６】
2006505301.tif 000018
【図１７】
2006505301.tif 000019
【図１８】
2006505301.tif 000020
【図１９】
2006505301.tif 000021
【図２０】
2006505301.tif 000022
【図２１】
2006505301.tif 000023
【図２２】
2006505301.tif 000024
【図２３】
2006505301.tif 000025
【図２４】
2006505301.tif 000026
【図２５】
2006505301.tif 000027
【図２６】
2006505301.tif 000028
【図２７】
2006505301.tif 000029
【図２８】
2006505301.tif 000030
【図２９】
2006505301.tif 000031
【図３０】
2006505301.tif 000032
【図３１】
2006505301.tif 000033
【図３２】
2006505301.tif 000034
【図３３】
2006505301.tif 000035
【図３４】
2006505301.tif 000036
【図３５】
2006505301.tif 000037
【図３６】
2006505301.tif 000038
【図３７】
2006505301.tif 000039
【図３８】
2006505301.tif 000040
【図３９】
2006505301.tif 000041
【図４０】
2006505301.tif 000042
【図４１】
2006505301.tif 000043
2006505301.tif 000044
【図４２】
2006505301.tif 000045
【図４３】
2006505301.tif 000046
【図４４】
2006505301.tif 000047
【図４５】
2006505301.tif 000048
【図４６】
2006505301.tif 000049
【図４７】
2006505301.tif 000050
【図４８】
2006505301.tif 000051
【図４９】
2006505301.tif 000052
【図５０】
2006505301.tif 000053
【手続補正書】
【提出日】平成16年6月18日(2004.6.18)
【手続補正１】
【補正対象書類名】特許請求の範囲
【補正対象項目名】全文
【補正方法】変更
【補正の内容】
【特許請求の範囲】
【請求項１】
１つまたはそれ以上のアイテムを収容するための容器と、前記容器を貫通し、前記容器の周辺から離れた１つまたはそれ以上のペネトレーション（貫通口）であって、その１つ（主ペネトレーション）がそこにフラワーアレンジメントを受容するように適応されたペネトレーションとを含むフラワーアレンジメント用アクセサリにおいて、
前記主ペネトレーションが、
略可撓性材料のシートを備えた花束をアレンジするための花保持ディスクを係合するための係合手段と、
アレンジする花束の長尺アイテムをそこに受容するように適応されたシートを貫通する複数のペネトレーションと、
各ペネトレーションと作動的に連携する把持手段であって、それによって１つまたはそれ以上の長尺アイテムを１つまたはそれ以上のペネトレーションに通しかつそれにより予め定められた力で把持することができ、前記ペネトレーションが、各ペネトレーションと作動的に連携する１つまたはそれ以上の円形アパーチャによって、前記ペネトレーションの周囲の可撓性材料の破損に備えて補強され、それによってフラワーアレンジメントが前記容器と作動的に連携するように構成された把持手段と、
を含み、
前記容器が、花保持ディスクを実質的に取り囲みかつ壁の一部によって前記主ペネトレーションから分離される環状内部を設けるために形成された壁を含む、
ことを特徴とするフラワーアレンジメント用アクセサリ。
【請求項２】
容器にアパーチャを設けるためのアクセサリであって、２つの相互接続部品であるソケット部品および前記ソケット部品内に挿入可能な挿入部品を含み、前記部品の少なくとも１つが中央穴を囲む壁部分を有し、前記部品がそれぞれの穴を実質的に位置合わせした状態で相互に作動的に連結することができるように、前記挿入部品の挿入部分が前記ソケット部品の受容部分と係合する大きさになるように構成され、主ペネトレーションの周囲に環状キャビティを形成するように組み立てるために、前記容器の底および蓋の各々の壁にオリフィスが切られた場合に、それと係合するための容器係合手段を各々の前記部品が前記挿入および受容部分から離れて有して成るアクセサリ。
【請求項３】
前記容器係合手段が、前記蓋および底の壁の内面に接着されるように適応されたフランジの形を取り、前記挿入および受容部分が一連の異なるサイズの容器に適合するように、様々な内径の穴を受け入れるように構成された、請求項２に記載のアクセサリ。
【請求項４】
フラワーアレンジメントに組み込むように選択された長さと断面とを有する長尺ロッドであって、両端を有し、前記端のうちの一方に取付け手段を含む長尺ロッドと、
前記フラワーアレンジメントを装飾するための装飾手段であって、前記ロッドの前記取付け手段を有する前記端に前記装飾手段を作動的に取り付けるための相補的取付け手段を含む装飾手段と、
を含むフラワーアレンジメント用アクセサリにおいて、
前記取付け手段がボールソケットジョイントを含み、該ボールソケットジョイントが
平坦な当接面から延びるショルダから延びるネックによって前記ロッドの一端に接続されるボールと、
前記ロッドの他端にあり、２つのピンチから内側に２つのスナップ位置を含むソケットと、
を含み、前記ボールが前記ピンチを介して締まり嵌めで前記ソケットに嵌合される大きさに作られ、
前記相補的取付け手段が、
前記ボールソケットジョイントの前記ソケットと相補的なボール半体、または
２つのピンチから内側に２つのスナップ位置を含み、前記ボールソケットジョイントの前記ボールと相補的なソケット半体
のいずれかを含む、
ことを特徴とする、フラワーアレンジメント用アクセサリ。
【請求項５】
前記ロッドの長さが、ポージーには単一の長さが適し、花束には２つの長さが適し、ブーケには３つの長さが適するように選択される、請求項４に記載のアクセサリ。
【請求項６】
前記装飾手段がメッセージおよび／またはあいさつ状の形のトークンを含む、請求項４または５に記載のアクセサリ。
【請求項７】
前記装飾手段が贈物用の箱の形のトークンを含む、請求項４または５に記載のアクセサリ。
【請求項８】
前記装飾手段が前記贈物用の箱を取り付けるための接着パッドを含む、請求項８に記載のアクセサリ。
【請求項９】
花束に形成され、請求項１に記載のアクセサリの主ペネトレーションに差し込まれた複数の切花を含むフラワーアレンジメント。
【国際調査報告】
2006505301.tif 000054
2006505301.tif 000055
2006505301.tif 000056
2006505301.tif 000057